(57)【要約】【課題】電気機器を扉に設ける場合にも、給電のために本体から扉に渡る配線の必要のないショーケースを提供する。【解決手段】ショーケースＳは、本体１内に構成された陳列室３の前面開口を、透視可能な扉４により開閉自在に閉塞して成る。扉４に設けられたＬＥＤ照明装置３８と、本体４に設けられた送電側コイル３７と、扉４に設けられ、当該扉４が陳列室３の開口を閉じた状態で送電側コイル３７に電磁結合され、ＬＥＤ照明装置３８に供給するための電力を誘導する受電側コイル３９とを備えている。【選択図】図４
2012029881.tif 000002
【特許請求の範囲】
【請求項１】
本体内に構成された陳列室の前面開口を、透視可能な扉により開閉自在に閉塞して成るショーケースにおいて、
前記扉に設けられた電気機器と、
前記本体に設けられた送電側コイルと、
前記扉に設けられ、当該扉が前記陳列室の開口を閉じた状態で前記送電側コイルに電磁結合され、前記電気機器に供給するための電力を誘導する受電側コイルとを備えたことを特徴とするショーケース。
【請求項２】
前記受電側コイルは、前記扉に設けられて前記電気機器に給電するための充電池に充電する電力を誘導することを特徴とする請求項１に記載のショーケース。
【請求項３】
前記電気機器は、照明装置、或いは、電飾看板又は画像を表示するディスプレイから成る広告装置であることを特徴とする請求項１又は請求項２に記載のショーケース。
【請求項４】
前記送電側コイルは、前記本体の天面上に設けられており、前記受電側コイルは前記扉より上方に延在して設けられていることを特徴とする請求項１乃至請求項３のうちの何れかに記載のショーケース。
【請求項５】
前記受電側コイルは、前記扉に交換可能に取り付けられ、当該扉より上方に延在する扉装飾カバーに設けられていることを特徴とする請求項４に記載のショーケース。
【請求項６】
前記陳列室内を所定温度に冷却する冷却装置を備えたことを特徴とする請求項４又は請求項５に記載のショーケース。
【発明の詳細な説明】
【技術分野】
【０００１】
本発明は、陳列室の前面開口を透視可能な扉にて開閉自在に閉塞して成るショーケースに関するものである。
【背景技術】
【０００２】
従来よりこの種ショーケースは、本体内に構成した陳列室内に飲料や食品等の商品を収納して陳列し、陳列室内は冷凍装置により所定温度に冷却すると共に、陳列室の前面開口は透視可能なガラス扉にて開閉自在に閉塞している。
【０００３】
また、商品の販売効果を向上させるために、この種ショーケースには天面上に例えば商品の広告を行うための電飾看板が設けられる。この看板は透光性の樹脂板等に商品名や商品の写真、イラスト等の広告を印刷したものであり、後方から蛍光灯等の照明装置によって照明を当てることで広告を浮き上がらせ、顧客に対して商品をアピールするものであった（例えば、特許文献１参照）。
【先行技術文献】
【特許文献】
【０００４】
【特許文献１】特開２００３−４３９７２号公報
【発明の概要】
【発明が解決しようとする課題】
【０００５】
従来では前記公報の如く電飾看板は本体に設けられていたが、このような電飾看板等の電気機器を扉に設ける場合、電気機器に給電するための配線を本体から扉に渡って設けなければならなくなり、扉の組み付け作業等が煩雑となる問題があった。また、扉は開閉されるものであるため、本体と電気機器との間で断線が発生する危険性もあった。
【０００６】
本発明は、係る従来の技術的課題を解決するために成されたものであり、電気機器を扉に設ける場合にも、給電のために本体から扉に渡る配線の必要のないショーケースを提供するものである。
【課題を解決するための手段】
【０００７】
上記課題を解決するために、本発明のショーケースは、本体内に構成された陳列室の前面開口を、透視可能な扉により開閉自在に閉塞して成るものであって、扉に設けられた電気機器と、本体に設けられた送電側コイルと、扉に設けられ、当該扉が陳列室の開口を閉じた状態で送電側コイルに電磁結合され、電気機器に供給するための電力を誘導する受電側コイルとを備えたことを特徴とする。
【０００８】
請求項２の発明のショーケースは、上記発明において受電側コイルは、扉に設けられて電気機器に給電するための充電池に充電する電力を誘導することを特徴とする。
【０００９】
請求項３の発明のショーケースは、上記各発明において電気機器は、照明装置、或いは、電飾看板又は画像を表示するディスプレイから成る広告装置であることを特徴とする。
【００１０】
請求項４の発明のショーケースは、上記各発明において送電側コイルは、本体の天面上に設けられており、受電側コイルは扉より上方に延在して設けられていることを特徴とする。
【００１１】
請求項５の発明のショーケースは、上記発明において受電側コイルは、扉に交換可能に取り付けられ、当該扉より上方に延在する扉装飾カバーに設けられていることを特徴とする。
【００１２】
請求項６の発明のショーケースは、請求項４又は請求項５の発明において陳列室内を所定温度に冷却する冷却装置を備えたことを特徴とする。
【発明の効果】
【００１３】
本発明は、本体内に構成された陳列室の前面開口を、透視可能な扉により開閉自在に閉塞して成るショーケースにおいて、扉に電気機器が設けられており、本体には送電側コイルを設け、扉には更に、当該扉が陳列室の開口を閉じた状態で送電側コイルに電磁結合され、電気機器に供給するための電力を誘導する受電側コイルを設けたので、扉に設けられた電気機器に本体側から電力を供給しながら、当該電気機器のための扉と本体間の配線を廃止することができるようになり、扉の組み付け作業性を改善し、また、断線故障の発生も防止することが可能となる。
【００１４】
また、請求項２の発明の如く扉に充電池を設け、受電側コイルが誘導する電力で充電池を充電すると共に、充電池から扉に設けられた電気機器に給電を行うようにすれば、より安定した給電が実現できるようになると共に、扉が開放されている間も、充電池の電力が残存する期間、電気機器に給電を行うことができるようになるものである。
【００１５】
また、請求項３の発明の如く電気機器として、照明装置、或いは、電飾看板又は画像を表示するディスプレイから成る広告装置を扉に設ければ、商品の広告／販売効果を著しく向上させることができるようになる。
【００１６】
また、請求項４の発明の如く送電側コイルを本体の天面上に設け、受電側コイルを扉より上方に延在して設ければ、本体の側方や下方に設ける場合に比してショーケースそのものの外観も良好となる。また、送電側コイルは陳列室外に位置することになるので、請求項６の如く冷却装置によって陳列室内を所定温度に冷却する所謂低温ショーケースであっても、送電側コイルから発生する熱が陳列室内の冷却効果に悪影響を及ぼすことが無い。
【００１７】
また、請求項５の発明の如く扉装飾カバーを扉に交換可能に取り付ければ、扉装飾カバーを交換することで既存のショーケースの外観を極めて容易に変更することができるようになることに加え、この扉装飾カバーに受電側コイルを設けて扉より上方に延在させることにより、扉装飾カバーにて各コイルを隠蔽することができるようになるものである。
【図面の簡単な説明】
【００１８】
【図１】本発明を適用した一実施例のショーケースの斜視図である。
【図２】図１の状態から各装飾カバーを取り外した状態のショーケースの斜視図である。
【図３】図１のショーケースの分解斜視図である。
【図４】図１のショーケースの縦断側面図である。
【発明を実施するための形態】
【００１９】
以下、本発明の実施の形態について、図面を参照しながら詳細に説明する。実施例のショーケースＳは、飲料や食品等の商品を冷却しながら陳列販売するための所謂低温ショーケースであり、本体１を構成する縦長矩形状の断熱箱体２内に前面が開口した陳列室３が構成されている。この陳列室３の開口は、例えば向かって右側（一側）上下を回動自在に本体１に枢支された扉４により開閉自在に閉塞されている。
【００２０】
この扉４は周囲の金属製扉枠（サッシュ）６と、この扉枠６の内方に嵌め込まれた複層透明ガラス板７とから成り、このガラス板７を通して外部より陳列室３内部が透視可能とされている。また、扉４の向かって左側（非枢支側）の扉枠６には、扉４を開閉するための把手５が設けられている。
【００２１】
断熱箱体２の下側（陳列室３の外側）である本体１の下部には機械室８が構成されており、この機械室８内に冷却装置Ｒの冷媒回路を構成する図示しない圧縮機や凝縮器９、図示しない凝縮器用送風機等が設置されている。尚、機械室８は前面が開口している。
【００２２】
一方、陳列室３内には商品陳列用の棚１１が複数段架設されている。また、断熱箱体２内の背面及び底面には、間隔を存して仕切板１２及び１３が設けられており、各仕切板１２及び１３と断熱箱体２との間に、相互に連通した背面ダクト１４及び底面ダクト１６が構成され、陳列室３はこれら仕切板１２及び１３の内側に構成されたかたちとされている。
【００２３】
また、背面の仕切板１２の上端と断熱箱体２間は背面ダクト１４に連通した冷気吹出口１７、底面の仕切板１３の前端と断熱箱体２間は底面ダクト１６に連通した冷気吸込口１８とされている。断熱箱体２の底壁には相互に前後に位置する連通孔１９、２１が貫通形成されており、連通孔１９と２１間において仕切板１３から垂下する隔壁１３Ａにより、底面ダクト１６は前後に仕切られている。
【００２４】
更に、断熱箱体２の底壁には、連通孔１９、２１に対応して断熱性の冷却箱２２が外側から取り付けられ、機械室８内に位置している。この冷却箱２２内には冷却装置Ｒの冷媒回路を構成する冷却器２３と冷気循環用送風機２４が収納されており、冷却器２３によって冷却箱２２内は連通孔１９側と連通孔２１側とに区画されている。これにより、陳列室３−冷気吸込口１８−底面ダクト１６−連通孔１９−冷気循環用送風機２４（冷却箱２２内）−冷却器２３（冷却箱２２内）−連通孔２１−底面ダクト１６−背面ダクト１４−冷気吹出口１７−陳列室３と渡る一連の冷気通路が構成されている。
【００２５】
そして、実施例では本体１の左右側面及び天面、機械室８の前面及び扉４の外面に、何れも硬質合成樹脂から成る側面装飾カバー２６、２７、天面装飾カバー２８、機械室装飾カバー２９及び扉装飾カバー３１がそれぞれ取り付けられている。この場合、側面装飾カバー２６、２７は本体１の左右側面を覆うように本体１に交換可能（ネジ止め）に取り付けられ、天面装飾カバー２８は本体１の天面を覆うように本体１に交換可能（ネジ止め）に取り付けられている。また、機械室装飾カバー２８は機械室８の前面開口を開閉可能に閉じるように本体１に着脱自在（交換可能）に取り付けられており、これら装飾カバー２６〜２８は本体１の一部を構成する。
【００２６】
この場合、機械室装飾カバー２９には開口２９Ａが形成され、この開口２９Ａに対応して機械室装飾カバー２９には、ルーバ３２とメッシュ部３３とを一体に備えたフィルタ３５が着脱可能に取り付けられている。尚、図３の３４は凝縮器９の前側に対応した開口を有するグリル板であり、前記凝縮器用送風機の運転により開口２９Ａからフィルタ３５を経て吸引された外気を、効率的良く凝縮器９に通風させる機能を奏する。
【００２７】
また、天面装飾カバー２８内の前面には、本体１の天面上に位置して送電側コイル（金属コイル）３７が取り付けられている。この送電側コイル３７の配線は本体１の天面装飾カバー２８内、若しくは、機械室８内に設置された電源に接続されて給電される。
【００２８】
また、扉装飾カバー３１は扉４の外面を覆うように扉枠６に交換可能（ネジ止め）に取り付けられている。この場合、扉装飾カバー３１は扉枠６を前方から間隔を存して隠蔽する透視不能な枠装飾部３１Ａと、その内方でガラス板７の前方に間隔を存して位置する透視可能なガラス装飾部３１Ｂとから成る。
【００２９】
そして、ガラス装飾部３１Ｂの平断面は、中央が前方に突出して両端部が後退した湾曲形状とされ、前方から陳列室３内を見た場合に商品陳列がより立体的に見えるように配慮されている。このようにショーケースＳの本体１及び扉４に各装飾カバー２６〜２９、３１を交換可能に取り付けているので、設置場所や使用目的、陳列商品に応じてそれらを交換することで、既存のショーケースＳの意匠を容易に変更することができるようになり、販売効果の著しい改善を図ることができるようになる。
【００３０】
ここで、実施例では扉装飾カバー３１の枠装飾部３１Ａが扉４よりも上方に延在し、その上側の左右辺が天面装飾カバー２８の前側に位置しており、この枠装飾部３１Ａの上部（上側の左右辺）の前部に、本発明における電気機器の一例としてのＬＥＤ照明装置３８が設けられている。尚、ＬＥＤ照明装置３８の前面には所定の広告文字やイラストが印刷された透光性の広告部材３８Ａが取り付けられている。この広告部材３８Ａもガラス装飾部３１Ｂと同様に前面が湾曲しており、ガラス装飾部３１Ｂの上部は係る広告部材３８Ａの前面まで覆っている。
【００３１】
このＬＥＤ照明装置３８の後側に位置する扉装飾カバー３１（枠装飾部３１Ａ）内には、充電池３６が設けられており、更に、この充電池３６の後側の扉装飾カバー３１（枠装飾部３１Ａの上側の左右辺）の後面には、受電側コイル（金属コイル）３９が取り付けられている。この受電側コイル３９は扉４が陳列室３の前面開口を閉じた状態で天面装飾カバー２８前面の送電側コイル３７の前側に位置し、電磁結合される。
【００３２】
この電磁結合により、送電側コイル３７に通電されたときに発生する磁力で受電側コイル３９には電力が誘導される。受電側コイル３９は充電池３６及びＬＥＤ照明装置３８に接続されており、扉４が閉じた状態では受電側コイル３９に誘導された電力が直接ＬＥＤ照明装置３８に供給されると共に、この誘導電力は充電池３６にも供給されて充電が行われる。ＬＥＤ照明装置３８は充電池３６にも接続されており、扉４が開放されて受電側コイル３９が送電側コイル３７から離間し、電力が誘導されなくなった状態では、充電池３６から放電された電力がＬＥＤ照明装置３８に供給される構成とされている。
【００３３】
以上の構成で、冷却装置Ｒ及び各送風機が運転されると、冷却器２３と熱交換した冷気は冷気循環用送風機２４により連通孔２１から底面ダクト１６に入り、背面ダクト１４を上昇して冷気吹出口１７から陳列室３内に吹き出される。この陳列室３内を循環して各棚１１上の商品を冷却した冷気は、冷気吸込口１８から吸い込まれ、底面ダクト１６を経て連通孔１９から再び冷気循環用送風機２４に吸い込まれる。これにより、陳列室３内に陳列された商品は所定の温度に冷却される。
【００３４】
また、前記凝縮器用送風機も運転され、機械室装飾カバー２９の開口２９Ａからは外気が吸引される。吸引された外気はフィルタ３５のメッシュ部３３にて塵埃を除去され、且つ、ルーバ３２にて風向が決められた後、凝縮器９及び機械室８内の圧縮機等に通風されてそれらを空冷する。
【００３５】
一方、送電側コイル３７も通電される。扉４が閉じた状態で、この送電側コイル３７から生じた磁力線は扉４の扉装飾カバー３１に設けられた受電側コイル３９を通過するので、この受電側コイル３９には電力が誘導される。この誘導された電力は前述した如くＬＥＤ照明装置３８に供給され、ＬＥＤ照明装置３８は点灯する。そして、広告部材３８Ａを後側から照らし出す。これにより、ＬＥＤ照明装置３８に無接点で電力を供給し、広告部材３８Ａによる商品の販売効果を向上させることができるようになると共に、充電池３６にも充電が行われる。
【００３６】
ここで、ＬＥＤ照明装置３８を扉４側に設けた場合、従来では給電するための配線を本体１と扉４間に渡って設けなければならない。その場合は、扉４のヒンジ内を通して配線することになるので、扉４の本体１への組み付け作業が極めて面倒になると共に、扉４の開閉によって断線する危険性も大きい。
【００３７】
しかしながら、前述した如く本発明では、扉４にＬＥＤ照明装置３８と受電側コイル３９を設け、扉４が陳列室３の開口を閉じた状態で受電側コイル３９と電磁結合される送電側コイル３７を本体１に設けているので、ＬＥＤ照明装置３８を無接点給電で点灯させながら、当該ＬＥＤ照明装置３８のための前述の如き扉４と本体１間の配線を廃止することができるようになり、扉４の組み付け作業性を改善し、また、断線故障の発生も防止することが可能となる。
【００３８】
また、受電側コイル３９の誘導電力により充電池３６も充電され、この充電池３６の放電によってＬＥＤ照明装置３８に電力を供給できるので、蓄電池３６に電力が残存している間は扉４を開いた状態でもＬＥＤ照明装置３８を点灯させることができる。
【００３９】
また、実施例では送電側コイル３７を本体１の天面上に設け、受電側コイル３９を扉４より上方に延在して設けているので、本体１の側方や下方に設ける場合に比してショーケースＳそのものの外観も良好となる。また、送電側コイル３７は陳列室３外に位置することになるので、送電側コイル３７から発生する熱が冷却装置Ｒによる陳列室３内の冷却効果に悪影響を及ぼすことも無い。
【００４０】
また、実施例では扉装飾カバー３１を扉４に交換可能に取り付けているので、扉装飾カバー３１を交換することで既存のショーケースＳの外観を極めて容易に変更することができるようになることに加え、この扉装飾カバー３１に受電側コイル３９を設けて扉４より上方に延在させることにより、扉装飾カバー３１にて各コイル３７、３９を隠蔽することができるようになる。
【００４１】
尚、実施例では扉４に設けられる電気機器としてＬＥＤ照明装置を用いたが、請求項１及び請求項２の発明ではそれに限らず、蛍光灯等の照明装置の他、電飾看板又は画像を表示する液晶ディスプレイ等から成る広告装置であっても良い。それにより、商品の広告／販売効果を著しく向上させることができるようになる。更に、電気機器としては扉４に設けられる結露防止ヒータ等も考えられる。
【００４２】
また、実施例では装飾カバーを本体１や扉４に取り付けたが、係る装飾カバーを用いずに、電気機器や受電側コイル３９を扉４に直接取り付けて上方に延在させるものであっても本発明は有効である。
【符号の説明】
【００４３】
Ｓ  ショーケース
Ｒ  冷却装置
１  本体
２  断熱箱体
３  陳列室
４  扉
１１  棚
２３  冷却器
２８  天面装飾カバー
３１  扉装飾カバー
３１Ａ  枠装飾部
３６  充電池
３７  送電側コイル
３８  ＬＥＤ照明装置
３８Ａ  広告部材
３９  受電側コイル
【図１】
2012029881.tif 000003
【図２】
2012029881.tif 000004
【図３】
2012029881.tif 000005
【図４】
2012029881.tif 000006